(57)【要約】【課題】タイムリーかつ正確に、仕事のパフォーマンスに影響するユーザの生活習慣を把握して当該生活習慣の管理及び改善を支援するビジネスヘルスレベル管理支援システムを提供する。【解決手段】ビジネスヘルスレベル管理支援システムは、ユーザの生活習慣を示す生活習慣情報を受け付ける生活習慣情報受付部と、仕事において高いパフォーマンスを発揮できる状態かどうかの指標となるビジネスヘルスレベルの判定ロジックに基づいて、前記生活習慣情報受付部により受け付けられた前記ユーザの生活習慣情報を分析する分析部と、前記分析部により分析された前記ユーザのビジネスヘルスレベルを含む分析結果を出力する分析結果出力部とを備える。【選択図】図２
2020187745.tif 000002
【特許請求の範囲】
【請求項１】
ユーザの生活習慣を示す生活習慣情報を受け付ける生活習慣情報受付部と、
仕事において高いパフォーマンスを発揮できる状態かどうかの指標となるビジネスヘルスレベルの判定ロジックに基づいて、前記生活習慣情報受付部により受け付けられた前記ユーザの生活習慣情報を分析する分析部と、
前記分析部により分析された前記ユーザのビジネスヘルスレベルを含む分析結果を出力する分析結果出力部と
を備えたビジネスヘルスレベル管理支援システム。
【請求項２】
前記生活習慣のカテゴリには、食事に関する習慣と、運動に関する習慣と、睡眠に関する習慣と、が含まれる
請求項１に記載のビジネスヘルスレベル管理支援システム。
【請求項３】
前記ユーザの生活習慣情報は、予め用意された生活習慣に関する複数の設問に対する回答により得られたものである
請求項１又は２に記載のビジネスヘルスレベル管理支援システム。
【請求項４】
前記設問には、複数の選択肢の中から該当するものを１つ選択する形式のものと、複数の選択肢の中から該当するものを全て選択する形式のものと、値を入力する形式のものと、が含まれる
請求項３に記載のビジネスヘルスレベル管理支援システム。
【請求項５】
前記分析結果には、前記ユーザのビジネスヘルスレベルの向上を支援するアドバイス情報が含まれる
請求項１から４の何れか１項に記載のビジネスヘルスレベル管理支援システム。
【請求項６】
前記生活習慣情報受付部により受け付けられた前記ユーザの生活習慣情報を蓄積する生活習慣情報蓄積部を備え、
前記分析結果出力部は、前記生活習慣情報蓄積部により蓄積された前記ユーザの生活習慣情報の評価指標を時系列的に出力する
請求項５に記載のビジネスヘルスレベル管理支援システム。
【請求項７】
前記ユーザの脳波に関する測定結果を示す脳波情報を受け付ける脳波情報受付部と、
前記脳波情報受付部により受け付けられた前記ユーザの脳波情報を分析する脳波情報分析部と、を更に備え、
前記分析結果出力部は、前記脳波情報分析部による前記ユーザの脳波情報の分析結果を更に出力する、請求項１から６の何れか１項に記載のビジネスヘルスレベル管理支援システム。
【請求項８】
前記分析結果出力部は、前記ユーザのコンディションに関する指標であるコンディション指標と、前記ユーザのパフォーマンスに関する指標であるパフォーマンス指標とを更に出力する、請求項７に記載のビジネスヘルスレベル管理支援システム。
【発明の詳細な説明】
【技術分野】
【０００１】
本発明は、仕事に影響すると考えられる生活習慣の管理及び改善を支援するビジネスヘルスレベル管理支援システムに関し、特に、企業において従業員が高い仕事のパフォーマンスを発揮できるように生活習慣の管理及び改善を支援するビジネスヘルスレベル管理支援システムに関する。
【背景技術】
【０００２】
近年、各企業において、従業員の残業時間を減らし労働生産性を高めるための各種施策が行われている。例えば、各従業員の健康診断の結果や出退勤状況を分析して、労務環境を改善することが行われている（例えば、特許文献１参照）。
【先行技術文献】
【特許文献】
【０００３】
【特許文献１】特開２０１７−１０７５６０号公報
【発明の概要】
【発明が解決しようとする課題】
【０００４】
しかしながら、従来の各種施策においては年１回程度行われる健康診断の結果等、更新頻度が少ない情報に基づく分析となることが多く、従業員の直近の生活習慣等の状況を正確に把握できないという問題があった。従業員の直近の状況を正確に把握しようとすると、従業員に多くの質問をする必要があり、また、その質問に対する回答を分析したとしても、その従業員が仕事において高いパフォーマンスを発揮できる状態にあるかどうかを把握するのは困難であった。
【０００５】
本発明に係る具体的態様は、タイムリーかつ正確に、仕事のパフォーマンスに影響するユーザの生活習慣を把握して当該生活習慣の管理及び改善を支援するビジネスヘルスレベル管理支援システムを提供することを目的の一つとする。
【課題を解決するための手段】
【０００６】
本発明に係る一態様のビジネスヘルスレベル管理支援システムは、ユーザの生活習慣を示す生活習慣情報を受け付ける生活習慣情報受付部と、仕事において高いパフォーマンスを発揮できる状態かどうかの指標となるビジネスヘルスレベルの判定ロジックに基づいて、前記生活習慣情報受付部により受け付けられた前記ユーザの生活習慣情報を分析する分析部と、前記分析部により分析された前記ユーザのビジネスヘルスレベルを含む分析結果を出力する分析結果出力部とを備えたビジネスヘルスレベル管理支援システムである。
【０００７】
上記構成によれば、ビジネスヘルスレベルの判定ロジックに基づいてユーザの生活習慣情報を分析しユーザのビジネスヘルスレベル含む分析結果を出力するため、タイムリーかつ正確に、仕事において高いパフォーマンスを発揮できる状態かどうかの指標となるビジネスヘルスレベルとしてユーザの生活習慣を把握することができ、仕事のパフォーマンスに影響するユーザの生活習慣の管理及び改善を支援することができる。
【０００８】
上記のビジネスヘルスレベル管理支援システムにおいて、前記生活習慣のカテゴリには、食事に関する習慣と、運動に関する習慣と、睡眠に関する習慣と、が含まれる、ことが好ましい。
【０００９】
上記構成によれば、ユーザの生活習慣を、仕事のパフォーマンスに影響すると考えられる、食事、運動、及び、睡眠の観点から把握することができる。
【００１０】
上記のビジネスヘルスレベル管理支援システムにおいて、前記ユーザの生活習慣情報は、予め用意された生活習慣に関する複数の設問に対する回答により得られたものである、ことが好ましい。
【００１１】
上記構成によれば、仕事のパフォーマンスに影響すると考えられる生活習慣に関する複数の設問を予め用意しておき、ユーザに当該設問に回答させることで、タイムリーかつ正確に、ユーザの生活習慣を把握することができる。
【００１２】
上記のビジネスヘルスレベル管理支援システムにおいて、前記設問には、複数の選択肢の中から該当するものを１つ選択する形式のものと、複数の選択肢の中から該当するものを全て選択する形式のものと、値を入力する形式のものと、が含まれる、ことが好ましい。
【００１３】
上記構成によれば、異なる観点からユーザの生活習慣を正確に把握することができる。
【００１４】
上記のビジネスヘルスレベル管理支援システムにおいて、前記分析結果には、前記ユーザのビジネスヘルスレベルの向上を支援するアドバイス情報が含まれる、ことが好ましい。
【００１５】
上記構成によれば、ユーザは、アドバイス情報を確認することで、生活習慣の改善に役立てることができ、能動的に脳と身体と心のコンディションを整えて仕事で高いパフォーマンスを発揮することができる。
【００１６】
上記のビジネスヘルスレベル管理支援システムにおいて、前記生活習慣情報受付部により受け付けられた前記ユーザの生活習慣情報を蓄積する生活習慣情報蓄積部を備え、前記分析結果出力部は、前記生活習慣情報蓄積部により蓄積された前記ユーザの生活習慣情報の評価指標を時系列的に出力する、ことが好ましい。
【００１７】
上記構成によれば、ユーザは過去の生活習慣情報の評価指標を時系列的に把握することができ、生活習慣の改善に役立てることができる。
【００１８】
上記のビジネスヘルスレベル管理支援システムにおいて、前記ユーザの脳波に関する測定結果を示す脳波情報を受け付ける脳波情報受付部と、前記脳波情報受付部により受け付けられた前記ユーザの脳波情報を分析する脳波情報分析部と、を更に備え、前記分析結果出力部は、前記脳波情報分析部による前記ユーザの脳波情報の分析結果を更に出力する、ことが好ましい。
【００１９】
上記構成によれば、ユーザのパフォーマンスを発揮できる状態か否かをより精度高く分析することが可能となる。
【００２０】
上記のビジネスヘルスレベル管理支援システムにおいて、前記分析結果出力部は、前記ユーザのコンディションに関する指標であるコンディション指標と、前記ユーザのパフォーマンスに関する指標であるパフォーマンス指標とを更に出力する、ことが好ましい。
【００２１】
上記構成によれば、ユーザは、コンディションとパフォーマンスを発揮できる状態か否かの両面から自身の状態を把握し、健康習慣を改善することや、自分自身でパフォーマンスを向上させることが可能となる。
【図面の簡単な説明】
【００２２】
【図１】図１は、本発明の実施形態に係るビジネスヘルスレベル管理支援システムの全体構成図である。
【図２】図２は、管理サーバの機能構成を示すブロック図である。
【図３】図３は、予め用意された生活習慣情報の設問の一例を示す図である。
【図４】図４は、分析結果の出力内容の一例を示す図である。
【図５】図５は、ビジネスヘルスレベル管理支援システムが行う処理の流れを示すシーケンス図である。
【図６】図６は、変形例に係るビジネスヘルスレベル管理支援システム１の全体構成図である。
【図７】図７は、変形例に係る管理サーバ１０の機能構成を示すブロック図である。
【発明を実施するための形態】
【００２３】
以下、本発明の実施の形態について図面を参照しつつ説明する。
【００２４】
［第１実施形態］
（システムの全体構成）
図１は、本発明の実施形態に係るビジネスヘルスレベル管理支援システム（以下「本システム」ともいう）１の全体構成図である。本システム１は、企業等で働くユーザの生活習慣に関する各種情報を管理する管理サーバ１０と、ユーザが所持するユーザ端末装置２０と、管理サーバ１０とユーザ端末装置２０とを通信可能に接続する通信ネットワーク３０と、を含んで構成される。通信ネットワーク３０は、社内ＬＡＮ、無線ＬＡＮ、移動通信網、インターネット等、任意のものを組み合わせることができる。図１では、ユーザ端末装置２０を１つのみ表示しているが、実際には本システム１を利用するユーザの数だけ存在する。
【００２５】
（管理サーバの構成）
管理サーバ１０は、ビジネスヘルスレベル管理支援システム１の運営者が管理するサーバであり、ハードウェアとして、図示せぬ、ＣＰＵ（中央演算処理装置）と、ＲＡＭ、ＲＯＭ、ハードディスク等の記憶装置と、通信ネットワーク４０を介してユーザ端末装置２０と通信する通信インターフェースと、を含んで構成される。管理サーバ１０の記憶装置には、各種プログラム、データ等のソフトウェアが記憶されている。
【００２６】
図２は、管理サーバ１０の機能構成を示すブロック図である。これらの機能は、管理サーバ１０のＣＰＵが記憶装置に記憶されたプログラムを読み込み実行することで実現される。
【００２７】
生活習慣情報受付部１１は、ユーザ端末装置２０から送信されてきた、ユーザの生活習慣を示す生活習慣情報を受け付ける。ここで、管理サーバ１０の記憶装置には、例えば、図３に示すような、ユーザの仕事のパフォーマンスに影響を与えると考えられるユーザの生活習慣を把握するのに必要な設問データが予め記憶されており、ユーザ端末装置２０からの要求に応じて、管理サーバ１０は当該設問に回答するための生活習慣情報入力画面を表示するデータをユーザ端末装置２０に送信する。ユーザはユーザ端末装置２０に表示された生活習慣情報入力画面において設問に回答した後に送信操作を行うことにより、ユーザ端末装置２０から管理サーバ１０に生活習慣情報が送信される。
【００２８】
本実施形態では、図３に示すように、設問として設けられた生活習慣のカテゴリとして、「食事」、「運動」及び「睡眠」が存在する。各カテゴリの設問は、択一形式のものと複数選択形式のものとが存在する。択一形式のものは、複数の選択肢の中から該当するものを１つ選択するか、値を１つ入力する形式の設問である。複数選択形式のものは、複数の選択肢の中から該当するものを全て選択可能（つまり、該当するものが複数ある場合には複数選択可能であり、該当するものがない場合には何も選択しないことが可能）な形式の設問である。
【００２９】
本実施形態では、カテゴリ「食事」においては、択一形式の設問は５つの選択肢の中からユーザが該当するものを１つのみ選択し、複数選択形式の設問は６つの選択肢の中からユーザが該当するものを全て選択するようになっている。また、カテゴリ「運動」においては、択一形式の設問は直近１週間のユーザの１日の平均歩数を入力し、複数選択形式の設問は６つの選択肢の中からユーザが該当するものを全て選択するようになっている。また、カテゴリ「睡眠」においては、択一形式の設問はユーザの現在の睡眠の満足度を５段階の数字で入力し、複数選択形式の設問は６つの選択肢の中からユーザが該当するものを全て選択するようになっている。
【００３０】
これらの設問の各選択肢の内容は、各企業の特色に応じて設定することも、全ての企業の従業員に共通する内容を設定することも可能である。設問の数はユーザが回答するのに負担とならないように１０問以内とし、短期的及び長期的にみて仕事のパフォーマンスに関連があると考えられるものに絞ることが好ましい。
【００３１】
このように、予め用意された生活習慣に関する複数の設問の中からユーザに自己の生活習慣に当てはまるものを選択させ又は値を入力させることで、タイムリーかつ正確にユーザの生活習慣を把握することができる。また、必ず選択が必要な選択肢又は必ず入力が必要な設問と、該当するものがあれば複数選択可能な選択肢と、を設けることで、ユーザの生活習慣を異なる観点から正確に把握することができる。
【００３２】
分析部１２は、ユーザが仕事において高いパフォーマンスを発揮できる状態かどうかの指標となるビジネスヘルスレベルの判定ロジックに基づいて、生活習慣情報受付部１１により受け付けられたユーザの生活習慣情報を分析する。
【００３３】
ここで、ビジネスヘルスレベルの判定ロジックは、予め仕事のパフォーマンスと生活習慣との相関性を複数の被験者により検証した上で、仕事のパフォーマンスが高い傾向にある生活習慣を実践しているユーザほどビジネスヘルスレベルが高くなるように設定されており、当該ロジックは記憶装置に記憶されたプログラムに記述されているか、又は記憶装置に設けられたデータベースに記憶されている。当該ビジネスヘルスレベルの判定ロジックは、企業の特色に合わせて企業毎に設定してもよいし、多くの会社の従業員を被験者とした検証結果を用いて全ての企業に適用できるものを作成してもよい。
【００３４】
具体的なビジネスヘルスレベルの判定ロジックを一例として挙げると、生活習慣のカテゴリ「食事」については、分析部１２は、択一選択肢のうち選択肢１が選択された場合は２０点、選択肢２が選択された場合は２５点、選択肢３が選択された場合は３０点、選択肢４が選択された場合は３５点、選択肢５が選択された場合は４０点、と点数をつける。また、複数選択肢については、選択肢が１つ選択された場合は１０点、選択肢が２つ選択された場合は２０点、選択肢が３つ選択された場合は３０点、選択肢が４つ選択された場合は４０点、選択肢が５つ選択された場合は５０点、選択肢が６つ選択された場合は６０点、選択肢が何も選択されなかった場合は０点、と点数をつけ、択一選択肢と複数選択肢との合計点を「食事」についての生活習慣評価指標として算出する。
【００３５】
生活習慣のカテゴリ「運動」については、分析部１２は、択一選択肢については、入力された歩数が千歩未満の場合は５点、千歩以上２千歩未満の場合は１０点、２千歩以上３千歩未満の場合は２０点、３千歩以上５千歩未満の場合は２５点、５千歩以上７千歩未満の場合は３０点、７千歩以上９千歩未満の場合は３５点、９千歩以上の場合は４０点、と点数をつける。また、複数選択肢については、「食事」と同様に、選択肢が１つ選択された場合は１０点、選択肢が２つ選択された場合は２０点、選択肢が３つ選択された場合は３０点、選択肢が４つ選択された場合は４０点、選択肢が５つ選択された場合は５０点、選択肢が６つ選択された場合は６０点、選択肢が何も選択されなかった場合は０点、と点数をつけ、択一選択肢と複数選択肢との合計点を「運動」についての生活習慣評価指標として算出する。
【００３６】
生活習慣のカテゴリ「睡眠」については、分析部１２は、択一選択肢については、入力された睡眠満足度が「−５」の場合は１０点、「−４」の場合は２０点、「−３」の場合は２５点、「−２」の場合は３０点、「−１」の場合は３５点、「０」の場合は４０点、と点数をつける。また、複数選択肢については、「食事」と同様に、選択肢が１つ選択された場合は１０点、選択肢が２つ選択された場合は２０点、選択肢が３つ選択された場合は３０点、選択肢が４つ選択された場合は４０点、選択肢が５つ選択された場合は５０点、選択肢が６つ選択された場合は６０点、選択肢が何も選択されなかった場合は０点、と点数をつけ、択一選択肢と複数選択肢との合計点を「睡眠」についての生活習慣評価指標として算出する。
【００３７】
そして、分析部１２は、各カテゴリの生活習慣評価指標の平均値を「ビジネスヘルスレベル」として算出する。
【００３８】
なお、このビジネスヘルスレベルの判定ロジックは一例として挙げたに過ぎず、ビジネスヘルスレベルと仕事のパフォーマンスとの相関関係が高くなるように、任意の手法を用いて判定ロジックを設定することができる。例えば、ＡＩ（人工知能）を利用して相関関係が高くなるように判定ロジックを逐次学習させることもできる。
【００３９】
また、分析部１２は、ユーザのビジネスヘルスレベル及び各カテゴリの生活習慣評価指標を分析し、ユーザのビジネスヘルスレベルの向上を支援するアドバイス情報を生成する。当該アドバイス情報には、ユーザのビジネスヘルスレベルに応じたアドバイス情報、各カテゴリの生活習慣評価指標に応じたアドバイス情報、及び、各カテゴリの生活習慣評価指標のバランスに応じたアドバイス情報が含まれる。これらのアドバイス情報は、予め記憶装置に記憶されたプログラムに記述されているか、又は、記憶装置に設けられたデータベースに記憶されている。
【００４０】
生活習慣情報蓄積部１３は、生活習慣情報受付部１１により受け付けられたユーザの生活習慣情報を管理サーバ１０の記憶装置に設けられたデータベースに蓄積する。蓄積された生活習慣情報は、ユーザの生活習慣評価指標の推移を管理したり、全体のユーザについての平均や分布を算出するために用いられる。
【００４１】
分析結果出力部１４は、分析部１２による分析結果を出力する。分析結果の出力方法としては、分析結果画面を表示するためのデータをユーザ端末装置２０に送信してユーザ端末装置２０のディスプレイに分析結果画面を表示してもよいし、ＰＤＦ形式等の電子データとして出力してもよいし、プリンターを用いて紙面上に印刷してもよい。
【００４２】
分析結果出力部１４が出力する分析結果としては、ユーザのビジネルヘルスレベル、ユーザのビジネスヘルスレベルの向上を支援するアドバイス情報、ユーザの過去の時系列的な生活習慣評価指標等が存在する。
【００４３】
図４には、分析結果の出力内容の一例を示す。同図に示すように、出力内容には、ユーザのビジネスヘルスレベル、カテゴリ毎の生活習慣評価指標のバランスの観点からのアドバイス情報、カテゴリ毎の生活習慣評価指標の時系列的な推移、複数のユーザのビジネスヘルスレベルの分布、複数のユーザのカテゴリ毎の生活習慣評価指標の平均値、複数のユーザのビジネスヘルスレベルと仕事のパフォーマンスとの相関関係及び分布等が含まれる。
【００４４】
ユーザは、自己のビジネスヘルスレベル、アドバイス情報、生活習慣評価指標の推移等を確認することで、生活習慣の改善の指針とすることができ、自主的に生活習慣の改善を試みることにより、脳と身体と心のコンディションを整え、仕事で高いパフォーマンスを発揮することができる。また、ユーザは、自己のビジネスヘルスレベル及び生活習慣評価指標が、全体の中でどのような水準にあるのかを把握することができる。
【００４５】
（ユーザ端末装置）
ユーザ端末装置２０は、管理サーバ１０と通信可能な端末装置であり、例えば、スマートフォン、タブレット端末、パーソナルコンピュータ等である。ユーザ端末装置２０は、ハードウェアとして、図示せぬ、ＣＰＵと、各種ソフトウェアが記憶された、ＲＡＭ、ＲＯＭ等のメモリと、各種画面を表示するディスプレイと、データを入力するための入力インターフェースと、通信ネットワーク３０を介して管理サーバ１０と通信するための通信インターフェースと、を備えている。
【００４６】
（動作）
次に、図５に示すシーケンス図を参照して、上記構成のビジネスヘルスレベル管理支援システム１の動作について説明する。
【００４７】
ユーザは、１週間等の所定の周期毎に、自己の生活習慣を入力するために、ユーザ端末装置２０を操作して生活習慣情報入力画面を表示する要求を行う。これにより、ユーザ端末装置２０は、当該要求を管理サーバ１０に送信する（ステップＳ１０１）。
【００４８】
管理サーバ１０は、当該要求をユーザ端末装置２０から受信すると、生活習慣情報入力画面を表示するための画面データを記憶装置から読み出してユーザ端末装置２０に送信する（ステップＳ１０２）。
【００４９】
ユーザ端末装置２０は、画面データを管理サーバ１０から受信すると、ディスプレイに生活習慣情報入力画面を表示する（ステップＳ１０３）。ユーザは、ユーザ端末装置２０を操作して、生活習慣情報入力画面に表示された設問の選択肢の中から、択一形式のものは該当する選択肢を１つ選択するか又は１つの値を入力し、複数選択形式のものは該当する選択肢を全て選択した後、送信指示を行う。これにより、ユーザ端末装置２０は入力された生活習慣情報を管理サーバ１０に送信する（ステップＳ１０４）。
【００５０】
管理サーバ１０の生活習慣情報受付部１１は、ユーザ端末装置２０から送信されてきた生活習慣情報を受け付ける（ステップＳ１０５）。管理サーバ１０の分析部１２は、ビジネスヘルスレベルの判定ロジックに基づいて、生活習慣情報受付部１１により受け付けられたユーザの生活習慣情報を分析する（ステップＳ１０６）。具体的には、分析部１２は、ユーザの生活習慣情報の分析を行って、ユーザのビジネスヘルスレベルを判定するとともに、ユーザのビジネスヘルスレベルの向上を支援するアドバイス情報を生成する。さらに、分析部１２は、当該ユーザのカテゴリ毎の生活習慣評価指標の推移を解析し、また、他の複数のユーザのビジネスヘルスレベル及び生活習慣評価指標に対するユーザの水準を解析する。
【００５１】
管理サーバ１０の生活習慣情報蓄積部１３は、受け付けられたユーザの生活習慣情報をデータベースに蓄積する（ステップＳ１０７）。
【００５２】
管理サーバ１０の分析結果出力部１４は、分析部１２による分析結果を表示する画面データを編集して、ユーザ端末装置２０に送信する（ステップＳ１０８）。ユーザ端末装置２０は、図４に示すような画面をディスプレイに表示する（ステップＳ１０９）。
【００５３】
以上説明したように、ビジネスヘルスレベル管理支援システム１は、ビジネスヘルスレベルの判定ロジックに基づいてユーザの生活習慣情報を分析しユーザのビジネスヘルスレベルを出力するため、タイムリーかつ正確に、ユーザの生活習慣を、仕事において高いパフォーマンスを発揮できる状態かどうかの指標となるビジネスヘルスレベルとして把握することができ、仕事のパフォーマンスに影響するユーザの生活習慣の管理及び改善を支援することができる。ユーザは、ビジネスヘルスレベル、アドバイス情報、生活習慣評価指標の推移等の分析結果を確認して生活習慣を改善する施策をとることで、能動的に脳と身体と心のコンディションを整え、仕事で高いパフォーマンスを発揮することができる。
【００５４】
［変形例］
図６は、変形例に係るビジネスヘルスレベル管理支援システム１の全体構成図である。変形例に係るビジネスヘルスレベル管理支援システム１は、更に、ユーザが所持する脳波測定装置４０を含んで構成されてもよい。脳波測定装置４０は、例えば、任意の近距離無線通信（Ｗｉ−Ｆｉ、Ｂｌｕｅｔｏｏｔｈ等）によってユーザ端末装置２０に通信可能に接続される。
【００５５】
脳波測定装置４０は、ユーザの脳波に関する測定（脳の血流量や脳機能の測定を含む）が可能な装置であって、ユーザ端末装置２０と通信可能な装置である。脳波測定装置４０は、ハードウェアとして、図示せぬ、ＣＰＵと、各種ソフトウェアが記憶された、ＲＡＭ、ＲＯＭ等のメモリと、各種画面を表示するディスプレイと、データを入力するための入力インターフェースと、近距離無線通信を介してユーザ端末装置２０と通信するための通信インターフェースと、を備えている。更に、脳波測定装置４０は、ハードウェアとして、ユーザの頭部に装着可能な脳波測定用の電極等で構成される脳波測定部を備える。脳波測定部は、例えば、近赤外光によって脳の血流量を測定可能に構成されてもよいし、種々の脳機能を測定可能に構成されてもよい。当該脳波測定部は、ユーザの脳波や、脳血流量、脳機能等を検知して検知信号を生成し、当該検知信号を、ＣＰＵやメモリ等で構成される制御部に供給する。更に、脳波測定装置４０は、検知信号を適宜加工処理して脳波に関する測定結果（脳の血流量や脳機能等の測定結果を含む）を示す脳波情報を生成し、通信インターフェースを介して当該脳波情報をユーザ端末装置２０に送信する。
【００５６】
図７は、変形例に係る管理サーバ１０の機能構成を示すブロック図である。変形例に係る管理サーバ１０は、更に、脳波情報受付部１５と、脳波情報分析部１６と、脳波情報蓄積部１７と、を備える。
【００５７】
脳波情報受付部１５は、ユーザ端末装置２０から送信されてきた、ユーザの脳波に関する測定結果を示す脳波情報を受け付ける。脳波情報受付部１５が脳波情報を受け付けるタイミングは、特に限定されず任意のタイミングであってよいが、例えば、上述したステップＳ１０４において生活習慣情報がユーザ端末装置２０から管理サーバ１０に送信されるタイミングであってもよい。
【００５８】
脳波情報分析部１６は、脳波情報を分析する。脳波情報の分析方法は特に限定されないが、例えば、認知機能を「見当識」、「注意力」、「記憶力」、「計画力」、「空間認識力」、「集中力」、及び「ワーキングメモリー」等に分類した上で脳波情報を当該分類にマッピングしてもよいし、脳波情報に基づいて脳疲労を定量化してもよいし、脳波情報に基づいてユーザの感性を分析してもよい。
【００５９】
脳波情報蓄積部１７は、脳波情報受付部１５により受け付けられた脳波情報や、脳波情報分析部１６により生成された脳波情報の分析結果を管理サーバ１０の記憶装置に設けられたデータベースに蓄積する。蓄積された脳波情報等は、ユーザの脳波情報に関する指標の推移を管理したり、全体のユーザについての平均や分布を算出するために用いられる。
【００６０】
上述した分析結果出力部１４は、更に、脳波情報分析部１６による分析結果を出力する。分析結果の出力方法としては、分析結果画面を表示するためのデータをユーザ端末装置２０に送信してユーザ端末装置２０のディスプレイに分析結果画面を表示してもよいし、ＰＤＦ形式等の電子データとして出力してもよいし、プリンターを用いて紙面上に印刷してもよい。
【００６１】
ビジネスヘルスレベル管理支援システム１による分析結果の出力内容には、コンディションに関する指標（コンディション指標）、コンディションに関するアドバイス（コンディションアドバイス）、パフォーマンスに関する指標（パフォーマンス指標）、及びパフォーマンスに関するアドバイス（パフォーマンスアドバイス）が含まれてもよい。これら指標やアドバイスは、分析部１２や脳波情報分析部１６により分析結果として生成されてもよい。
【００６２】
ここで、コンディション指標は、睡眠、食事、運動、その他の、個人の健康習慣によりコントロールが可能な身体や心の状態に関する指標であってよい。また、コンディションアドバイスは、例えば、睡眠、食事、運動等を中心とする生活習慣のアドバイスを含んでよい。また、パフォーマンス指標とは、仕事での活動量等に関する指標であって、例えば、行動力、創造力、思考力、集中力、コミュニケーション力、エンゲージメント、モチベーション等を含んでもよい。パフォーマンスアドバイスは、特に、脳科学視点からのアドバイスを含んでもよい。具体的には、脳疲労そのものを取るための方法や、種々の作業に適した時間帯（集中した作業に適した時間帯、アイディア出しに適した時間帯等）、仕事の仕方等が含まれてもよい。
【００６３】
このように、通常の生活習慣のアドバイスであるコンディションアドバイスだけではなく、脳科学的なアドバイスであるパフォーマンスアドバイスを出力内容に含めることにより、ユーザは、これらを参考にして仕事の内容を時間帯で変えるなど仕事の進め方を計画・修正することが容易となる。また、ユーザは、効率的に集中力を発揮することや、自身のメンタル面（精神面）を安定化させることが容易となる。
【００６４】
なお、上述した実施形態は一例に過ぎず、各種変形が可能である。例えば、ユーザの歩数については、ユーザに入力させる代わりに、歩数計により測定された数値を管理サーバ１０に直接入力してもよい。また、本システム１の機能分担は一例であり、例えば、管理サーバ１０の分析部１２の機能をユーザ端末装置２０に設けてもよい。
【００６５】
また、例えば、分析部１２は、生活習慣情報と脳波情報とを併せて分析するように設計されてもよい。例えば、分析部１２は、生活習慣情報蓄積部１３に蓄積された生活習慣情報と、脳波情報蓄積部１７に蓄積された脳波情報とに基づいて回帰分析等の分析を実行することにより、上述した「食事」、「運動」、及び「睡眠」それぞれの生活習慣評価指標と脳波情報との相関関係を調べてもよい。そして、当該相関関係に基づいて、ユーザを、食事によって脳波（脳血流や脳機能等を含む）が影響を受けやすい「食事型」、運動によって脳波が影響を受けやすい「運動型」、及び睡眠によって脳波が影響を受けやすい「睡眠型」等に分類してもよい。また、分析結果出力部１４は、被験者の分類に応じて、上述したアドバイス（コンディションアドバイスやパフォーマンスアドバイス）等の内容を変更してもよい。具体的には、分析結果出力部１４は、「食事型」のユーザに対しては食事に関するアドバイスを、「運動型」のユーザに対しては運動に関するアドバイスを、「睡眠型」のユーザに対しては睡眠に関するアドバイスを、それぞれ出力してもよい。また、分析部１２は、生活習慣情報と脳波情報とを併せて、ユーザのマインドフルネスや悩み等を分析してもよい。
【００６６】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。また、各処理ステップ間に他のステップを追加してもよい。また、１ステップとして記載されているステップを、複数ステップに分けて実行してもよいし、複数ステップに分けて記載されているものを、１ステップとして把握することもできる。
【符号の説明】
【００６７】
１  ビジネスヘルスレベル管理支援システム
１０  管理サーバ
１１  生活習慣情報受付部
１２  分析部
１３  生活習慣情報蓄積部
１４  分析結果出力部
１５  脳波情報受付部
１６  脳波情報分析部
１７  脳波情報蓄積部
２０  ユーザ端末装置
３０  通信ネットワーク
４０  脳波測定装置
【図１】
2020187745.tif 000003
【図２】
2020187745.tif 000004
【図３】
2020187745.tif 000005
【図４】
2020187745.tif 000006
【図５】
2020187745.tif 000007
【図６】
2020187745.tif 000008
【図７】
2020187745.tif 000009